(57)【要約】      （修正有）【課題】使用に便利である折り畳み式スポーツバッグを提供する。【解決手段】バッグ本体１とバッグ本体１の底部に取り付けられるキャスター２とからなり、前記バッグ本体１のリアはサイドプレート１０、バックプレート１１とボットムプレート１２によって構成される。さらに、カバー３によってカバーされるフレームがあり、バッグ本体１のフロントはフレームのフレキシブルカバー４から突き出されており、ボットムプレート１２は折り畳みプレートで、ボットムプレート１２の折り畳みのフロント部分はフレキシブルカバー４のボットムに支えられ、ボットムプレート１２のリア部分はフレームのサポートボットムとなり、キャスター２はボットムプレート１２のリア下方に取り付けられる。【選択図】図１
0003176022.tif 000002
【実用新案登録請求の範囲】
【請求項１】
バッグ本体（１）とバッグ本体(１)の底部に取り付けられるキャスター（２）となり、前記バッグ本体（１）のリアはサイドプレート（１０）、バックプレート（１１）とボットムプレート（１２）によって構成され、さらに、カバー（３）によってカバーされるフレームがあり、バッグ本体（１）のフロントはフレームのフレキシブルカバー（４）から突き出されており、ボットムプレート（１２）は折り畳みプレートで、ボットムプレート（１２）の折り畳みのフロント部分はフレキシブルカバー（４）のボットムに支えられ、ボットムプレート（１２）のリア部分はフレームのサポートボットムとなり、キャスター（２）はボットムプレート（１２）のリア下方に取り付けられる折り畳み式スポーツバッグ。
【請求項２】
請求項１に記載の折り畳み式スポーツバッグにおいて、前記ボットムプレート（１２）は、折り畳みフロントボットムプレート（１２０）と固定のボットムプレート（１２２）となり、折り畳みフロントボットムプレート（１２０）は裏側に収まる構造となることを特徴とする折り畳み式スポーツバッグ。
【請求項３】
請求項２に記載の折り畳み式スポーツバッグにおいて、前記ボットムプレート（120）の下方には支え脚（５）が設置されることを特徴とする折り畳み式スポーツバッグ。
【請求項４】
請求項１に記載の折り畳み式スポーツバッグにおいて、前記フレームのサイドプレートの前端は下から上に前端は下から上に、裏側に向いて段々狭くなることを特徴とする折り畳み式スポーツバッグ。
【請求項５】
請求項１に記載の折り畳み式スポーツバッグにおいて、前記バッグ本体（１）のフレームのバックプレート（１１）の裏面には２本の並列の支え棒（６・７）が設置され、２本の支え棒（６・７）の間には物掛けラック（８）がヒンジ連結され、物掛けラック（８）の下部は回転エンドとなっており、上部はスペーシングロープ（９）によってバッグ本体（１）と接続されることを特徴とする折り畳み式スポーツバッグ。
【考案の詳細な説明】
【技術分野】
【０００１】
本実用新案はスポーツバッグに関するもので、特に折り畳み式スポーツバッグに関するものである。
【背景技術】
【０００２】
従来のスポーツバッグ、例えばホッケー又は野球などの運動器材は、優れたサポート性を得るために、中に入れる品物が押さえられて破損されないように、一般的に硬いケーシングを使っているので、当該類のスポーツバッグは体積が比較的大きい。このような構造的特徴によって、スポーツバッグは輸送中非常に不便で、必要とするスペースも大きく、製造業者と供給業者の輸送中、積載数量が少なく、輸送コストが高くなる。
【０００３】
また、目下、これらのスポーツバッグ上には、タオルなどを掛ける装置がなく、これらの物掛け装置の構造は一般的に、取り外してからフロアに支えられる構造となっているので、使用に面倒であるだけでなく、紛失し易く、使用に不便で、信頼性にも欠けている。
【考案の概要】
【考案が解決しようとする課題】
【０００４】
既存技術の不足を克服するために、本実用新案では使用に便利である折り畳み式スポーツバッグを提供する。
【課題を解決するための手段】
【０００５】
本実用新案では上記技術問題を解決するために、次の技術方式を採択する。
【０００６】
バッグ本体とバッグ本体の底部に取り付けられるキャスターとなり、前記バッグ本体のリアはサイドプレート、バックプレートとボットムプレートによって構成され、さらに、カバーによってカバーされるフレームがあり、バッグ本体のフロントはフレームのフレキシブルカバーから突き出されており、ボットムプレートは折り畳みプレートで、ボットムプレートの折り畳みのフロント部分はフレキシブルカバーのボットムに支えられ、ボットムプレートのリア部分はフレームのサポートボットムとなり、キャスターはボットムプレートのリア下方に取り付けられる折り畳み式スポーツバッグ。
【０００７】
本実用新案の有益な効果：バッグのボットムプレートは折り畳み式であるので、スポーツバッグに品物が入れてない場合は、バッグのフロント部分を裏側に収まることができ、所用のスペースも大幅小さくなるので、保存がもっと便利になり、運賃も更に低くなる。しかも、バッグのフロント部分の下方にはボットムプレートのサポートがあるので、使用の信頼性も同時に保証できる。
【図面の簡単な説明】
【０００８】
次では添付図と実施例に合わせて、本実用新案についてさらに説明するものとする。
【図１】本実用新案の構造見取図である。
【図２】本実用新案の折り畳み状態図である。
【図３】本実用新案のバック部分の構造見取図である。
【考案を実施するための形態】
【０００９】
図１、図２は、バッグ本体１とバッグ本体１の底部に取り付けられるキャスター２となり、前記バッグ本体１のリアはサイドプレート１０、バックプレート１１とボットムプレート１２によって構成され、さらに、カバー３によってカバーされるフレームがあり、バッグ本体１のフロントはフレームのフレキシブルカバー４から突き出されており、ボットムプレート１２は折り畳みプレートで、ボットムプレート１２の折り畳みのフロント部分はフレキシブルカバー４のボットムに支えられ、ボットムプレート１２のリア部分はフレームのサポートボットムとなり、キャスター２はボットムプレート１２のリア下方に取り付けられる折り畳み式スポーツバッグ。
【００１０】
さらに、好ましい実施方式として、前記ボットムプレート１２は、折り畳みフロントボットムプレート１２０と固定のボットムプレート１２２となり、折り畳みフロントボットムプレート１２０は裏側に収まる構造となっている。
【００１１】
さらに、使用の信頼性のために、前記ボットムプレート１２０の下方には支え脚５が設置されている。
【００１２】
また、本実用新案のバッグにおいて、好ましくて、前記フレームのサイドプレート１０の前端は下から上に、裏側に向いて段々狭くなり、これによって、ボットムが収まると、そのフロントと繋がるフレキシブルカバー４は段々狭くなるフレームの中に収まり、もっとコンパクトになる。
【００１３】
そして、図３に示されている通り、前記バッグ本体１のフレームのバックプレートの裏面には２本の並列の支え棒６・７が設置され、２本の支え棒６・７の間には物掛けラック８がヒンジ連結され、物掛けラック８の下部は回転エンドとなっており、上部はスペーシングロープ９によってバッグ本体１と接続され、当該物掛けラック８を開くと、タオルなどの品物を便利に掛けることでき、使用に便利だし、構造も簡単になる。物掛けラック８を収めるとマジックテープ（登録商標）２０でバッグの裏面に貼り付けることができる。
【００１４】
勿論、本実用新案は上記実施方式の他にも、その他の同等な技術方式もその保護範囲内に含まれる。
【符号の説明】
【００１５】
１・・・バッグ本体      ２・・・キャスター      ３・・・カバー
４・・・フレキシブルカバー      ５・・・支え脚    
６、７・・・支え棒      ８・・・物掛けラック    
９・・・スペーシングロープ      １０・・・サイドプレート    
１１・・・バックプレート      １２・・・ボットムプレート    
２０・・・マジックテープ（登録商標）
１２０・・・折り畳みフロントボットムプレート    
１２２・・・固定のボットムプレート
【図１】
0003176022.tif 000003
【図２】
0003176022.tif 000004
【図３】
0003176022.tif 000005